(57)【要約】      （修正有）【課題】収容物を取り出す際に容器本体の一部を切り裂き線に沿って簡単かつ確実に分断することができる新規な包装容器を提供する。【解決手段】容器本体に略Ｕ字状のスリットＳからなる指かけ口２０を形成し、そのスリットＳの両端部からそれぞれ容器本体の周方向に沿って延びる一対の切り裂き線２１，２２を形成し、各切り裂き線２１，２２をスリットＳの両端部から斜め方向に形成する。これによって、切り裂く力が一箇所に集中することなく均一に分散するため、指かけ口２０部分だけが裂けてしまうといった事態を回避して容器本体を切り裂き線２１，２２に沿って簡単かつ確実に分断できる。【選択図】図４
0003206118.tif 000002
【実用新案登録請求の範囲】
【請求項１】
筒状をした容器本体に略Ｕ字状のスリットからなる指かけ口を形成し、当該スリットの両端部からそれぞれ前記容器本体の周方向に沿って延びる一対の切り裂き線を形成した包装容器であって、
前記各切り裂き線が前記スリットの両端部からそれぞれ前記容器本体の端部方向に向かって斜めに形成されていることを特徴とする包装容器。
【請求項２】
請求項１に記載の包装容器において、前記各切り裂き線がミシン目からなることを特徴とする包装容器。
【請求項３】
請求項１または２に記載の包装容器において、
前記容器本体は４つの側板が連設した断面四角形状の角筒体であると共に、前記指かけ口が前記側板のうちいずれか１つの側板のほぼ中央部に形成されていることを特徴とする包装容器。
【請求項４】
請求項３に記載の包装容器において、
前記各切り裂き線が、前記指かけ口が形成された第１の側板の両側に位置する第２および第３の各側板を通過して前記第１の側板の対向面に位置する第４の側板との境界部分まで延びていることを特徴とする包装容器。
【請求項５】
請求項１乃至４のいずれかに記載の包装容器において、
前記指かけ口の上方に前記各切り裂き線間に亘る座屈線が形成されていることを特徴とする包装容器。
【請求項６】
請求項３乃至５のいずれかに記載の包装容器において、
前記４つの側板が折り線を介して連設されており、前記側板のうちいずれか１つの側板の両端部に折り線を介して四角形状の蓋体と差し込み片とが順次連設され、
他方、前記蓋体が形成された側板の両側に位置する各側板の端部にそれぞれ折り線を介して四角形状の内フラップが連設され、
前記差し込み片の両端にそれぞれ前記各内フラップと係合する曲げロックが折り線を介して連設されていることを特徴とする包装容器。
【請求項７】
請求項１乃至６のいずれかに記載の包装容器において、前記容器本体が段ボール紙製であることを特徴とする包装容器。
【考案の詳細な説明】
【技術分野】
【０００１】
本考案は、例えば各種賞状や証書、ポスター、カレンダーなどを丸めた長尺物を運搬、保管するための包装容器に関する。
【背景技術】
【０００２】
従来、前記のような長尺物を収納するための包装容器（ケース）としては、紙やプラスチック、あるいは金属などからなる円筒状のものが多く用いられている。しかし、円筒状の包装容器は少しの揺れや振動が生じると簡単に転がってしまうため、輸送中や保管時の安定性が悪い上に、輸送中に蓋が外れないようにその蓋の部分を本体側にしっかりとテープ止めしたりする必要があり、取り扱いが容易でない。
【０００３】
このため本出願人は、例えば以下の特許文献１および２などのように、４つの側板と上下一対の蓋板を一体化した段ボール紙などからなる平板状の原料紙を立体的に組み合わせることで完成される角筒状の包装容器を考案し、提供している。この角筒状をした包装容器によれば、多少の揺れや振動が加わっても転がったりすることなく安定して輸送、保管できる上に、その蓋板の差し込み片に曲げロック片を形成しておき、これが蓋を閉じた後に内フラップに引っかかるようになるため、一旦蓋を閉じた後は勝手に蓋が開いたりしなくなることから、テープ止めなどが不要となり、取り扱いや使い勝手に優れている。
【先行技術文献】
【特許文献】
【０００４】
【特許文献１】登録実用新案第３０１４０３２号公報
【特許文献２】登録実用新案第３１０９４２５号公報
【考案の概要】
【考案が解決しようとする課題】
【０００５】
ところで、前述したような従来の角筒状の包装容器では、一旦蓋を閉じた後は輸送中の振動などによって勝手に蓋が開いたりしないような構造となっているため、収容物を取り出す際にその蓋を開けるのは容易でない。そのため、前記特許文献２では、紙製の側板の一部にその側板を横断するように連続したミシン目からなる切り裂き線を指かけ口と共に形成し、その指かけ口に指を差し込んでそこを基点としてその切り裂き線に沿ってその側板を上下に分断して一気に開口することで、その開口から簡単に収容物を取り出すことができるようにしている。
【０００６】
しかしながら、この包装容器は紙製（段ボール紙製）であるため、指かけ口を基点とした切り裂き線に沿った側板の分断に際し、力の入れ具合や力を入れる方向などを間違えると、その指かけ口部分だけが裂けてしまい、切り裂き線に沿ってきれいに分断できないことがある。
【０００７】
そこで、本考案の目的は、これらの課題を解決するために案出されたものであり、その目的は、収容物を取り出す際に容器本体の一部を切り裂き線に沿って簡単かつ確実に分断することができる新規な包装容器を提供することにある。
【課題を解決するための手段】
【０００８】
前記課題を解決するために第１の考案は、筒状をした容器本体に略Ｕ字状のスリットからなる指かけ口を形成し、当該スリットの両端部からそれぞれ前記容器本体の周方向に沿って延びる一対の切り裂き線を形成した包装容器であって、前記各切り裂き線が前記スリットの両端部からそれぞれ前記容器本体の端部方向に向かって斜めに形成されていることを特徴とする包装容器である。
【０００９】
このような構成によれば、例えば親指を指かけ口に差し込んで容器本体の端部に引っ張ると、この指かけ口のスリットの両端部から各切り裂き線に沿って容器本体の端部が分断されて開口するため、そこから容器本体内の収納物を容易に取り出すことができる。このとき、指かけ口のスリットの両端部から延びる各切り裂き線は前記容器本体の端部方向に向かって斜めに形成されているため、切り裂く力が一箇所に集中することなく指かけ口から両側斜め方向にも均一に分散する。これによって指かけ口部分だけが裂けてしまうといった事態が回避されるため、容器本体を切り裂き線に沿って簡単かつ確実に分断することができる。
【００１０】
第２の発明は、第１の発明において、前記各切り裂き線がミシン目からなることを特徴とする包装容器である。このような構成により、容器本体としての強度を維持しつつ、収容物を取り出す際には切り裂き線に沿って容器本体の一部を確実に分断することができる。
【００１１】
第３の発明は、第１または第２の発明において、前記容器本体は４つの側板が連設した断面四角形状の角筒体であると共に、前記指かけ口が前記側板のうちいずれか１つの側板のほぼ中央部に形成されていることを特徴とする包装容器である。このような構成によれば、指かけ口を起点とした切り裂く力がその両側に位置する各側板に均一に伝わるようになるため、切り裂き線に沿って容器本体の一部を確実に分断することができる。
【００１２】
第４の発明は、第３の発明において、前記各切り裂き線が、前記指かけ口が形成された第１の側板の両側に位置する第２および第３の各側板を通過して前記第１の側板の対向面に位置する第４の側板との境界部分まで延びていることを特徴とする包装容器である。このような構成によれば、連続した３つの側板部分のみが分断され、残りの側板が反対側に折れることにより、完全に分離することなく収納物を容易に取り出すことができる。
【００１３】
第５の発明は、第１乃至第４のいずれかの発明において、前記指かけ口の上方に前記各切り裂き線間に亘る座屈線が形成されていることを特徴とする包装容器である。このような構成によれば、第１の発明のように、例えば親指を指かけ口に差し込んで容器本体の端部方向に引っ張ると、この指かけ口のスリットの両端部から各切り裂き線に沿って容器本体の端部が分断されて開口する前に、その指かけ口の上方の部分が座屈線に沿って座屈する。これにより、指かけ口に集中する切り裂く力がその座屈部分で分散されてその上方に伝わるようになるため、指かけ口部分だけが裂けてしまうといった事態をより確実に回避することができる。
【００１４】
第６の発明は、第３乃至５のいずれかの発明において、前記４つの側板が折り線を介して連設されており、前記側板のうちいずれか１つの側板の両端部に折り線を介して四角形状の蓋体と差し込み片とが順次連設され、他方、前記蓋体が形成された側板の両側に位置する各側板の端部にそれぞれ折り線を介して四角形状の内フラップが連設され、前記差し込み片の両端にそれぞれ前記各内フラップと係合する曲げロックが折り線を介して連設されていることを特徴とする包装容器である。
【００１５】
このような構成では、容器本体の両端を蓋体で塞ぐと、蓋体と連設した差し込み片が内フラップと係合するため輸送中などに勝手に蓋が開いたりすることがなくなるが、収容物を取り出す際にその蓋を開くことも困難となる。このため、前記のように容器本体の端部を指かけ口を起点としてその一部を切り裂き線から分断することが効率的であるが、本考案の構造によれば、前記のように収容物を取り出す際には容器本体を一部を切り裂き線に沿って簡単かつ確実に分断することができる。
【００１６】
第７の発明は、第１乃至第６のいずれかの発明において、前記容器本体が段ボール紙製であることを特徴とする包装容器である。段ボール紙は軽量で強度が高く、また加工性に優れているため、長尺の収容物の包装容器としては最適である。また、その一部にミシン目などからなる切り裂き線を形成することも容易であり、収容物を取り出す際には適度な力を加えるだけでその切り裂き線に沿って容易に分断することができる。
【考案の効果】
【００１７】
本考案によれば、指かけ口のスリットの両端部から延びる各切り裂き線が前記容器本体の端部方向に向かって斜めに形成されているため、切り裂く力が指かけ口からその両側斜め方向にも均一に分散する。これによって切り裂く力が一箇所に集中して指かけ口部分だけが裂けてしまうといった事態が回避されるため、容器本体を切り裂き線に沿って簡単かつ確実に分断することができる。
【図面の簡単な説明】
【００１８】
【図１】本考案に係る包装容器１００の実施の一形態を示す展開図である。
【図２】本考案に係る包装容器１００の実施の一形態を示す組立図である。
【図３】図２中Ａ部を示す部分拡大斜視図である。
【図４】本考案に係る包装容器１００を右手で分断する状態を示す概念図である。
【図５】本考案に係る包装容器１００を分断する状態を示す概念図である。
【図６】本考案に係る包装容器１００を分断した状態を示す概念図である。
【図７】従来の包装容器の一例を示す展開図である。
【図８】従来の包装容器による分断例を示す概念図である。
【図９】本考案に係る包装容器１００の他の実施の形態を示す斜視図である。
【図１０】図９に示す形態における包装容器１００を分断する状態を示す概念図である。
【図１１】図９に示す形態における包装容器１００を分断する状態を示す断面図である。
【考案を実施するための形態】
【００１９】
以下、本考案の実施の形態を添付図面を参照しながら説明する。図１および図２は、本考案に係る包装容器１００の実施の一形態を示したものであり、図１はその展開図、図２はその組立図である。まず図２（Ａ）、（Ｂ）に示すようにこの包装容器１００は、断面四角形の角筒状になっており、丸められたポスターやカレンダーのような長尺状の収容物２００を収容して輸送したり、贈答用のギフトボックスなどとして使用するものである。
【００２０】
この包装容器１００は、図１に示すように平板状をした１枚の厚紙または例えば厚さ３ｍｍ程度の段ボール紙などからなる平板状の原料紙１０からなっており、この原料紙１０に形成された各折り線（罫線）部分（図中破線）をそれぞれ略直角（９０°）に折ることで断面四角形の角筒状になるように立体的に組み立てることができるようになっている。
【００２１】
この原料紙１０は、図示するように同一幅、同一長さの長方形からなる４つの側板、すなわち第１側板１１、第２側板１２、第３側板１３、第４側板１４がそれぞれ折り線Ｌ１、Ｌ２，Ｌ３を介して平行に連設されている。なお、本実施の形態では図中左から２番目の側板を第１の側板１１とし、その左側の側板（左端）を第２側板１２、その右側の側板を第３側板１３、右端の側板を第４側板１４とする。さらに、第４側板１４の右端には、これよりも幅が狭い（例えば１／４程度）の糊代板１４ａが折り線Ｌ４を介して連設されている。
【００２２】
また、第２側板１２の長手方向両端部には、正方形状の蓋板１５，１５がそれぞれ折り線Ｌ５、Ｌ５を介して連設されている。さらに、これら蓋板１５，１５の各端部にはそれよりも幅が狭い（例えば１／３程度）長方形状の差し込み片１６，１６がそれぞれ折り線Ｌ６、Ｌ６を介して連設されている。また、さらにこれら差し込み片１６，１６の両側には、それよりも長さが短い（例えば１／３程度）舌状の曲げロック片１７，１７がそれぞれ折り線Ｌ７、Ｌ７を介して連設されている。
【００２３】
一方、この第２側板１２の右側に連設された第１側板１１の両端部には、前記蓋板１５，１５の長さの半分程度の内フラップ１８，１８がそれぞれ折り線Ｌ８，Ｌ８を介して連設されている。さらにその右隣の第３側板１３を挟んだ右端の第４側板１４の両端部にも、同じく蓋板１５，１５の長さの半分程度の内フラップ１９，１９がそれぞれ折り線Ｌ９，Ｌ９を介して連設されている。なお、第３側板１３の両端には特に何も連設されていない。なお、この折り線はＬ１〜Ｌ９は、原料紙１０をプレスなどで型抜きする際に、これと同時に原料紙１０の該当箇所の内側を線状に潰すなどによって形成されている。また、図１中に示すように図中左右方向が段ボール紙の縦目方向、上下方向が横目方向となっている。
【００２４】
そして、これら４つの側板１１、１２、１３、１４のうち、第１側板１１の端部付近であってその略中央部には、指かけ口２０と切り裂き線が２１ａ，２１ｂが形成されている。この指かけ口２０は、第１側板１１の端部方向に向いた幅２０ｍｍ程度の略Ｕ字状をしたスリットＳからなっており、そのスリットＳの両端部を起点としてそれぞれ一対の切り裂き線２１，２２がその左右方向に延びるように形成されている。
【００２５】
この切り裂き線２１，２２は、それぞれ短スリットが一定間隔で直線状に並んだミシン目からなっている。そして、この切り裂き線２１，２２は、スリットＳの端部からそれぞれ左右且つ斜め方向に形成されており、その両側の第２側板１２および第３側板１３を通過し、第２側板１２側ではその縁部まで、一方、第３側板１３側では折り線Ｌ３までそれぞれ延びている。すなわち、この切り裂き線２１，２２は、指かけ口２０が形成された第１側板１１の幅方向とは平行でなく、その両側の第２側板１２および第３側板１３の端部方向に向かって一定の角度αで斜め方向に直線状に延びている状態となっている。
【００２６】
なお、ここでこの切り裂き線２１，２２の傾斜角度αとしては特に限定されるものではないが、例えば図示するように第１側板１１の長手方向に対して直角に位置する仮想ラインＬ１０に対して１５°〜４０°の範囲、より好ましくは２０°〜３０°程度とするのが望ましい。また、指かけ口２０の位置、すなわち略Ｕ字状のスリットＳの端部位置は、第１側板１１の端部から５０〜８０ｍｍ、より好ましくは６０〜７０ｍｍ程度とするのが望ましい。これらの範囲を外れると、後述するような本考案の目的とする作用・効果が得られ難いからである。
【００２７】
そして、このような構成をした平板状の原料紙１０を図２に示すように立体的に組み立てることで本考案に係る包装容器１００を容易に製造することができる。すなわち、先ず図１に示す平板状の原料紙１０の折り線Ｌ１、Ｌ２，Ｌ３，Ｌ４をそれぞれ同じ方向（内側）に直角に折り、糊代板１４ａを第２側板の縁部に重ね合わせるようにして糊付けする。これによって、図２（Ａ）に示すように両端が開口した断面四角形状の角筒状の容器本体１０ａが形成される。
【００２８】
次に、この容器本体１０ａの下端に位置する一対の内フラップ１８，１９を内側に折ってから下側の蓋板１５を内側に折ってその内フラップ１８，１９に重ねるようにしてその下端の開口部を塞ぐことになるが、その前にその蓋板１５の先端の差し込み片１６をその内側方向に約９０°に折ると共に、その差し込み片１６両端の舌状の曲げロック片１７，１７をそれぞれ差し込み片１６の内側に重ね合わせるように１８０°折り畳んでおく。
【００２９】
そして、下側の蓋板１５を内側に折ると共に、その先端の差し込み片１６を内フラップ１８，１９の内側に入るようにその端部に差し込む。すると、蓋板１５が閉じられると同時に差し込み片１６両端の曲げロック片１７，１７が内部で開いてこれが内フラップ１８，１９の内側に係合する。これによって、蓋板１５がロックされてその蓋板１５を開くように作用する力、すなわち差し込み片１６を抜き出すような力が加わっても蓋板１５が開くことはない。
【００３０】
このようにして下側の蓋板１５を閉じたならば、その上端開口部から長尺状の収容物２００を収容した後、同様にして上側の開口部を上側の蓋板１５で閉じることによって、同図（Ｂ）に示すように両端が完全に閉じられた包装容器１００が完成する。このような断面四角形をした角筒状の包装容器１００では、多少の揺れや振動が加わっても転がったりすることなく安定して輸送、保管できる上に、一旦蓋体１５を閉じた後は勝手に蓋が開いたりしないため、テープ止めなどが不要となり、取り扱いや使い勝手に優れている。なお、この容器本体１０ａは各側板１１、１２、１３、１４の幅方向が段ボール紙の縦目方向となっていてその方向に対して十分な強度を発揮するため、これを寝かせた状態で複数上下多段に重ね合わせて保管してもその重量によって各容器本体１０ａが潰れたりするようなことはない。
【００３１】
そして、このような構成をした本考案に係る包装容器１００からその中身の収容物を取り出すには、図３乃至図６に示すようにその容器本体１０ａの端部を本体から分断するように手で開くことになる。すなわち、図３及び図４に示すように例えば右手の人差し指から小指までの指先を蓋体１５上にあてがうと共に、その親指をスリットＳの内側に差し込む。すると、そのスリットＳの内側部分２０ａが押されてスリットＳの両端部を結ぶラインから折れるようにして包装容器１００の内側に押し込まれて開口し、指かけ口２０が形成される。これによりスリットＳの内側部分２０ａが親指の腹の部分に当接した状態となる。
【００３２】
その後、この状態から右手の人差し指から小指までの指先を支点として親指をぐいと持ち上げるように動かすと、図５に示すようにそのスリットＳの両端部を起点として、その第１側板１１，第２側板１２，第３側板１３がその切り裂き線２１，２２に沿って一気に分断する。そして、さらにそのまま親指を持ち上げると、図６に示すように切り裂き線２１，２２の端部同士を結ぶ折り線Ｌ１０を軸としてその分断した部分が指かけ口２０が形成された第１側板１１の対向側の第４側板１４方向に回動する。これによって収容物２００の端部が完全に露出するため、ここから容易に収容物２００を取り出すことができる。
【００３３】
この一連の動作に際して、指かけ口２０のスリットＳの両端部から延びる各切り裂き線２１，２２は、容器本体１０の端部方向に向かって斜めに形成されているため、切り裂く力が指かけ口２０から両側斜め方向にも均一に分散する。これによって切り裂く力が指かけ口２０の一部に集中してその指かけ口２０部分だけが裂けてしまうといった事態が回避されるため、容器本体１０ａの一部を切り裂き線２１、２２に沿って簡単かつ確実に分断して開口することができる。
【００３４】
すなわち、図７に示すように従来はこの指かけ口から延びる切り裂き線が側板の幅方向と平行に延びている。このため、指かけ口に親指を差し込んで持ち上げる動作を慎重に行わないと図８に示すようにその切り裂く力が集中してその指かけ口部分だけが裂けてしまうということがあった。しかし、本考案のようにこの指かけ口２０のスリットＳの両端部から延びる各切り裂き線２１，２２を容器本体１０の端部方向に向かって斜めに形成することにより、切り裂く力が指かけ口２０からその両側斜め方向にも均一に分散するため、誰でも簡単且つ確実にその切り裂き線２１、２２に沿って容器本体１０を分断することができる。
【００３５】
なお、本考案の包装容器１００は、このように右手あるいは左手の親指を指かけ口２０に差し込んでてこの原理を利用して分断するようにしていることから、上述したように指かけ口２０の位置、すなわち略Ｕ字状のスリットＳの端部位置は、第１側板１１の端部から５０〜８０ｍｍ、より好ましくは６０〜７０ｍｍ程度とするのが望ましい。また、この切り裂き線２１，２２の傾斜角度αとしては、図示するように第１側板１１の長手方向に対してその幅方向に直角に延びる仮想ラインＬ１０に対して１５°〜４０°、より好ましくは２０°〜３０°程度とするのが望ましい。
【００３６】
また、各切り裂き線２１，２２の終端の位置も特に限定されるものではないが、その端部に差し込まれた状態の蓋板１５先端の差し込み片１６や曲げロック片１７，１７と干渉しない位置、例えば差し込み片１６や曲げロック片１７，１７の幅が２０ｍｍであるとすると、第４側板の端部から約３０ｍｍ程度の位置にするのが望ましい。
【００３７】
なお、本実施の形態では、第１側板１１に指かけ口２０を形成し、ここから斜め方向に各切り裂き線２１，２２を形成した例で説明したが、この指かけ口２０は他の側板１２，１３，１４のいずれに設けても同様な作用効果を発揮できる。また、図１に示すような一枚の原料紙１０の状態でユーザーに提供し、そのユーザー自身が必要なときに組み立てるようにしても良いが、予め工場などで糊代板１４ａを第２側板１２側に接着して二つ折り状態にして提供すれば、ユーザー自身によるその作業が省けるため、収容作業がより簡単となる。
【００３８】
次に、図９乃至図１１は本考案に係る他の実施の形態を示したものである。図９に示すように本実施の形態では前記実施の形態の構成に加えて前記指かけ口２０の上方に、座屈線２３を形成したものである。この座屈線２３は略Ｕ字状のスリットＳの両端部からそれぞれ斜め上方に延びる各切り裂き線２１，２２間をほぼ水平に亘るように形成されており、前述した折れ線Ｌ１〜Ｌ９のようにこの指かけ口２０の上方部分が座屈線２３から座屈するように簡単に折れるようにしたものである。
【００３９】
そして、このような座屈線２３を形成すれば、図１０（Ａ）および図１１（Ａ）に示すように例えば親指を指かけ口２０に差し込んでその内側部分２０ａを容器本体１０ａ内に押し込んでからそのまま上方に引っ張ると、図１０（Ｂ）および図１１（Ｂ）に示すようにこの指かけ口２０のスリットＳの両端部から各切り裂き線２１，２２に沿って第１側板１１が上下に分断されると同時にその上方部分がこの座屈線２３を境に座屈するように手前側に折れ曲がる。
【００４０】
その後、図１１（Ｃ）に示すようにこの状態から引き続きそのまま上方に力を加えると、第１側板１１と連接する第３側板側１３および第２側板１２側の板切り裂き線２１，２２が切り裂かれて容器本体１０ａの端部が上下に分断して開口することになる。このように指かけ口２０の上方に座屈線２３を形成しておき、その指かけ口２０の上方部分を座屈線２３を境に座屈させてから切り裂くようにすれば、その指かけ口２０に集中する切り裂く力がその座屈した部分で分散されてその上方の側板に伝わるようになる。これによって、この指かけ口２０部分だけに力が集中して裂けてしまうといった事態をより確実に回避することができる。
【符号の説明】
【００４１】
１００…包装容器
２００…収容物
１０…原料紙
１０ａ…容器本体
１１…第１側板
１２…第２側板  
１３…第３側板
１４…第４側板
１４ａ…糊代板  
１５…蓋体
１６…差し込み片
１７…曲げロック片 
１８，１９…内フラップ
２０…指かけ口
２０ａ…指かけ口の内側部分
２１，２２…切り裂き線
２３…座屈線
Ｌ１〜Ｌ１０…折り線（罫線）
Ｓ…Ｕ字状のスリット
【図１】
0003206118.tif 000003
【図２】
0003206118.tif 000004
【図３】
0003206118.tif 000005
【図４】
0003206118.tif 000006
【図５】
0003206118.tif 000007
【図６】
0003206118.tif 000008
【図７】
0003206118.tif 000009
【図８】
0003206118.tif 000010
【図９】
0003206118.tif 000011
【図１０】
0003206118.tif 000012
【図１１】
0003206118.tif 000013